(57)【要約】      （修正有）【課題】検出費用を節約し、更に製品の研究開発時間を短縮するため、市場イニシアチブを勝ち取る電磁波障害検出システムを提供する。【解決手段】電磁波障害検出システムは、少なくとも箱体１０、信号増幅器１１及びスペクトラムアナライザ１２を含む。箱体１０の内部に納置するのは、箱体１０の内壁表面Ｓに被覆する電波吸収層１００と、電波吸収層１００の一側に設置するアンテナ１０１と、箱体１０の壁面を貫通しアンテナ１０１及び信号増幅器１１と第一シールド線１０３及び第二シールド線１３でそれぞれ電気接続する濾波器コネクタ１０２である。そしてスペクトラムアナライザ１２と信号増幅器１１との間は第三シールド線１４で電気接続する。箱体１０は可動するテーブル面に設置するので場所を占有せず、国際標準認証の実験室の標準電磁波データ値と相対して検量線を構築する。【選択図】図２
0003220695.tif 000002
【実用新案登録請求の範囲】
【請求項１】
電磁波障害検出システムにおいて、少なくとも、
中空構造であり、長さ、幅、高さは各自独立で２メートル以内である箱体と、
該箱体の内壁表面に被覆し、該箱体の該内壁表面に部分被覆もしくは全部被覆する電波吸収層と、
該電波吸収層の一側に設置するアンテナと、
該箱体の壁面の一側壁面、上壁面もしくは下壁面を貫通する濾波器コネクタであって、該濾波器コネクタの一端と該アンテナの間は、第一シールド線で電気接続する濾波器コネクタと、
該濾波器コネクタの他端との間を第二シールド線で電気接続する信号増幅器と、
該信号増幅器との間を第三シールド線で電気接続するスペクトラムアナライザと、
を含む電磁波障害検出システム。
【請求項２】
前記箱体の該壁面には、ドアパネルを設置し、該ドアパネルには手動スイッチ、気圧稼働スイッチもしくは電動モータ起動スイッチを設置することを特徴とする請求項１記載の電磁波障害検出システム。
【請求項３】
前記アンテナは、該内壁表面の側壁表面に於ける該電波吸収層の表面、上壁表面に於ける該電波吸収層の表面、もしくは下壁表面に於ける該電波吸収層の表面に設置することを特徴とする請求項１記載の電磁波障害検出システム。
【請求項４】
前記電磁波障害検出システムは、更にコンピュータを含み、且つ該コンピュータと該スペクトラムアナライザ間を第四シールド線で電気接続することを特徴とする請求項１記載の電磁波障害検出システム。
【請求項５】
前記信号増幅器は、該スペクトラムアナライザの内部もしくは外部に設置することを特徴とする請求項１記載の電磁波障害検出システム。
【考案の詳細な説明】
【技術分野】
【０００１】
本考案は、検出システムに関するもので、特に中小型電子設備に発生する電磁波周波数と電磁波振幅の大きさを検出する電磁波障害（EMI、Electromagnetic Interference）検出システムに係る。
【背景技術】
【０００２】
基本的に電子設備は運転過程において、電磁波が発生するが、その電磁波はその他電子設備において、不必要な電磁波障害である。この種の電磁波障害問題は長期に亘り、常に電子装備及びシステムの設計上の大きな盲点となっている。それは電磁波障害が発生する原因が非常に多岐にわたり、且つ処理に必要な専門知識が非常に広範に及ぶからである。電磁波障害は電気を使用する設備全体もしくはシステムの性能を下げるため、製品開発者にとって、電子製品の電磁波障害検出は、非常に重要である。
【０００３】
従来、電磁波障害検出は、一般に大型実験室で行われている。例として、面積約２８平方メートルの大きさで（長さ７メートル、幅４メートル）、そして高さ３メートルの国際標準認証に合格した実験室（もしくはシールドルームと称する）内で電磁波を検出する。
【考案の概要】
【考案が解決しようとする課題】
【０００４】
解決しようとする問題点として、このような標準実験室及び検出設備を建設するのは、非常に高い費用が必要であるため、一回の検出費用は相当に高い。更に、これらの標準実験室は検出を待つ人が非常に多いため、通常、申請してから順番を待ち、やっとテストを行うことができ、順番待ちは一般に数週間かかる。これら特殊状況の下、検査時には製品開発の技術者が同席しなければならない。一般的に一個の電子製品の開発過程は数十回の電磁波検査を繰り返すことが必要で、それはその他開発タイムスケジュールを厳重に組み、技術者は製品の設計段階に於いて性能に対して多くの犠牲を払わなければならず、製品設計不良、もしくは製品のタイムスケジュールの延長を起こしやすい。更に製品開発過程において、毎回検査結果に基づき製品のデザインの方向性を調整する必要がある。例えば、毎回の検査に待つ時間が数週間の場合、数十回の検査の電磁波検査後、製品の開発タイムスケジュール全体に数ヶ月から半年を費やしてしまう。
【課題を解決するための手段】
【０００５】
本考案は、少なくとも一箱体、一信号増幅器及び一スペクトラムアナライザを含む。箱体の内部に納置するのは、箱体の内壁表面に被覆する電波吸収層と、電波吸収層の一側に設置するアンテナと、箱体の壁面を貫通しアンテナ及び信号増幅器と第一シールド線及び一第二シールド線でそれぞれ電気接続する濾波器コネクタである。そしてスペクトラムアナライザと信号増幅器との間は第三シールド線で電気接続する。箱体は可動するテーブル面に設置するので場所を占有せず、国際標準認証の実験室の標準電磁波データ値と相対して検量線を構築することを最も主要な特徴とする。
【考案の効果】
【０００６】
本考案の電磁波障害検出システムは、会社内部で使用できる電磁波障害検出システムを提供することで検出費用を有効に節約し、製品の研究開発時間を短縮し市場イニシアチブを取ることができるという利点がある。
【図面の簡単な説明】
【０００７】
【図１】本考案の立体図である。
【図２】本考案の構造断面図である。
【図３Ａ】本考案の電波吸収ゴム片指示図である。
【図３Ｂ】本考案の角錐電波吸収層指示図である。
【図３Ｃ】本考案の楔形電波吸収層指示図である。
【図３Ｄ】本考案の平板電波吸収層指示図である。
【図４】本考案の電磁波障害の調整方法のフローチャートである。
【考案を実施するための形態】
【０００８】
科学技術産業の激しい競争において、今日の電子製品は小型化、高性能、高精度、高い信頼度及び良好な反応等に符合することを目標としており、更に新製品の注目期間は益々短くなり、同時に製品開発費用は縮小している。そのため、本考案の目的の一つとして、会社内部で使用できる電磁波障害検出システムを提供し、それに拠って検出費用を有効に節約し、製品の研究開発時間を短縮し市場イニシアチブを取ることができる。
【０００９】
本開示の電磁波障害検出システムは、箱体、信号増幅器及びスペクトラムアナライザを含む。該箱体は中空構造であり、その内部に納置する電波吸収層は、該箱体の内壁表面に被覆する。アンテナは該電波吸収層の一側に設置する。濾波器コネクタは該箱体の壁面を貫通し、該濾波器コネクタの一端と該アンテナの間は第一シールド線で電気接続する。該信号増幅器と該濾波器コネクタの他端の間は、第二シールド線で電気接続する。該スペクトラムアナライザと該信号増幅器の間は、第三シールド線で電気接続する。該箱体の長さ、幅、高さはそれぞれ独立して２メートル以内であり、該箱体は可動テーブル面に設置するので場所を取らない電磁波障害検出システムを提供する事を本考案の目的とする。
【００１０】
上述の特徴に基づき、該箱体は金属箱体である。
【００１１】
上述の特徴に基づき、該箱体はアルミニウム製箱、アルミ合金製箱及び鉄製箱である。
【００１２】
上述の特徴に基づき、該電波吸収層は該箱体の該内壁表面に部分被覆するか、もしくは全部被覆する。
【００１３】
上述の特徴に基づき、該アンテナは該内壁表面の側壁表面に於ける該電波吸収層の表面に設置する。そのうち、該アンテナは該内壁表面の一側壁表面に於ける該電波吸収層の表面に設置する。
【００１４】
上述の特徴に基づき、該アンテナは該内壁表面の上壁表面に於ける該電波吸収層の表面に設置する。
【００１５】
上述の特徴に基づき、該アンテナは該内壁表面の下壁表面に於ける該電波吸収層の表面に設置する。
【００１６】
上述の特徴に基づき、該濾波器コネクタは該壁面を貫通する。
上述の特徴に基づき、該濾波器コネクタは該壁面の側壁面を貫通する。
【００１７】
上述の特徴に基づき、別の濾波器コネクタは該壁面の上壁面を貫通する。
【００１８】
上述の特徴に基づき、別の濾波器コネクタは該壁面の下壁面を貫通する。
【００１９】
上述の特徴に基づき、更に第一シールド線を含み、それは該アンテナと該電波吸収層の間に設置する。
【００２０】
上述の特徴に基づき、更にコンピュータを含み、且つ該コンピュータと該スペクトラムアナライザ間を第四シールド線で電気接続する。
【００２１】
上述の特徴に基づき、更に検査待ち物品絶縁体を含み、該検査待ち物品絶縁体は該電波吸収層の表面に設置する。
【００２２】
上述の特徴に基づき、該箱体の該壁面はドアパネルを設置する。
【００２３】
上述の特徴に基づき、該ドアパネルは手動スイッチ、気圧稼働スイッチもしくは電動モータ起動スイッチを設置する。
【００２４】
上述の特徴に基づき、該箱体は金属箱体である。該電波吸収層は該箱体の該内壁表面に全部被覆する。該アンテナは該内壁面の下壁表面に於ける該電波吸収層の一側に設置される。該濾波器コネクタは該壁面の一側壁面を貫通する。第一シールド線は該アンテナと該電波吸収層の間に設置される。検査待ち物品絶縁体は該電波吸収層の表面に設置される。該箱体の該壁面にはドアパネルが設置される。
【００２５】
上述の特徴に基づき、該箱体は多面体もしくは円形体である。
【００２６】
上述の特徴に基づき、該箱体は立方体である。
【００２７】
上述の特徴に基づき、該濾波器コネクタは直流電源コネクタ、交流電源コネクタ、ＵＳＢコネクタ、ＲＪ４５信号コネクタ、ＲＳ２３２コネクタ、ＳＭＡコネクタ、Ｎ型コネクタ及びＢＮＣコネクタで構築されたグループのうちの少なくとも一つを自由に選択する。
【００２８】
上述の特徴に基づき、該第一シールド線、該第二シールド線、該第三シールド線及び該第四シールド線は、各自独立した同軸シールド線（Coaxial shielding line）である。
【００２９】
上述の特徴に基づき、該信号増幅器は該スペクトラムアナライザの内部もしくは外部に設置する。
【００３０】
上述の特徴に基づき、該電波吸収層は電波吸収ゴム片、角錐電波吸収層、楔形電波吸収層もしくは平板電波吸収層である。
【００３１】
本考案が提供する該電磁波障害検出システムは、小型の該箱体の内部に検査待ち物品を置く。該検査待ち物品と関係のない電磁波を該箱体の外に隔離し、該箱体内の該アンテナが感知した電磁波はつまりすべてが該検査待ち物品が発した電磁波である。本考案が使用する該箱体サイズはおよそ公知のシールドルームサイズの１．２％であるが、その数値に限定されるものではない。故に本考案の電磁波障害検出システムは一般の実験テーブル上で行ってもよく、大型シールドルームの設置コスト及び構造上大きいことの優位性と比較して、設置コストと設置空間を節約する。中小企業は会社内部に本考案の電磁波障害検出システムを設置することで製品開発時間を短縮することができる。
【実施例】
【００３２】
先ず、図１、図２に示す立体図及び構造断面図に示すのは、本考案の電磁波障害検出システムであり、少なくとも一箱体１０、一信号増幅器１１及び一スペクトラムアナライザ１２を含む。
【００３３】
該箱体１０は、中空構造であり、その内部には電波吸収層１００、アンテナ１０１及び濾波器コネクタ１０２を納置する。該電波吸収層１００は該箱体１０の内壁表面Ｓに被覆し、検査待ち物品（図未提示）が発した電磁波を吸収し、更に電磁波が続けて該内壁表面Ｓから反射されて検査の正確性に影響するのを防止する。更に外部電磁波が該箱体１０内に進入して検査の正確性に影響するのを防止する。また該電波吸収層１００形状は電波吸収ゴム片１００ａ（例として図３Ａ参照）、角錐電波吸収層１００b（例として図３Ｂ参照）、楔形電波吸収層１００c（例として図３Ｃ参照）もしくは平板電波吸収層１００d（例として第３Ｄ参照）に示す。良好なものとして、該電波吸収層１００は該箱体１０の該内壁表面Ｓに部分被覆するか、もしくは全部被覆する。更に良好な実施方式として、該電波吸収層１００は該箱体１０の該内壁表面Ｓに全部被覆することで、検査待ち物品の電磁波を完全に吸収し、更に外部電磁波を完全にシャットアウトする効果を達成する。該箱体１０は、金属箱体であり、アルミニウム製箱、アルミ合金製箱もしくは鉄製箱でもよい。且つ該箱体１０は多面体、円形もしくは立方体でもよい。更に該箱体１０の該壁面Ｗはドアパネル１０５を設置し、該ドアパネル１０５は手動スイッチ、気圧稼働スイッチもしくは電動モータ起動スイッチを設置して該検査待ち物品のシールド箱への出し入れに用いる。当実施例において、該箱体１０の長さ、幅、高さは各自２メートル以内であるため、該箱体１０を移動可能なテーブル面（図中符号表示なし）に設置することができ、場所を取らずに便利である。
【００３４】
該アンテナ１０１は、該電波吸収層１００の一側に設置し、更に該アンテナ１０１は、該内壁表面Ｓの側壁表面ＳＷ、上壁表面ＳＵもしくは下壁表面ＳＤの該電波吸収層１００の表面に設置してもよく、該検査待ち物品が発する電磁波を受信して電磁信号に転換する。更に該アンテナ１０１はバイコニカルアンテナ（Biconical Antenna）、対数周期アンテナ（Log Perioidic Antenna ）、広帯域アンテナ（Combilog Antennat） 、半波長ダイポールアンテナ（Half Wave Tuned Dipole Antenna） 、ホーンアンテナ（Double Ridged Hon Antenna）、アクティブループアンテナ（Active Loop Antenna） 及びモノポールアンテナ（ Monopole antenna ）が構成したグループ内のうちの少なくともそのうちの一つを自由に選択する。良好な実施例として、該アンテナ１０１は該下壁表面ＳＤの該電波吸収層１００の一側に設置する。例として、該アンテナ１０１は配置方式で該電波吸収層１００の表面に設置することで設置や移動が便利になる。
【００３５】
該濾波器コネクタ１０２は、該箱体１０の壁面Ｗを貫通し、更に該濾波器コネクタ１０２は該壁面Ｗの一側壁面ＷＳ、上壁面ＷＵもしくは一下壁面ＷＤを貫通してもよい。また該濾波器コネクタ１０２の一端と該アンテナ１０１の間を第一シールド線１０３で電気接続し、該電磁信号を該第一シールド線１０３で該アンテナ１０１から該濾波器コネクタ１０２へ入力する。該第一シールド線１０３は該電磁信号の伝送過程において該検査待ち物品が発する電磁波の影響を受けることから防止する。該濾波器コネクタ１０２の他端は第二シールド線１３で該信号増幅器１１と電気接続し、該電磁信号を該第二シールド線１３で該濾波器コネクタ１０２から該信号増幅器１１へ送る。該第二シールド線１３は該電磁信号の伝送過程に於いて該箱体１０外部の大気遊離電磁波の影響を受けることから防止する。更に該濾波器コネクタ１０２は直流電源コネクタ、交流電源コネクタ、ＵＳＢコネクタ、ＲＪ４５信号コネクタ、ＲＳ２３２コネクタ、ＳＭＡコネクタ、Ｎ型コネクタ及びＢＮＣコネクタから構成されるグループのうちの少なくとも一つを自由に選択する。該濾波器コネクタ１０２は不必要なノイズを除去するのに用いる。良好な実施例として、該濾波器コネクタ１０２は、該壁面Ｗの該側壁面ＷＳを貫通し、線を取り外したり交換するのに便利である。該信号増幅器１１は該電磁信号の出力パワーを大きくするのに用いる。
【００３６】
該スペクトラムアナライザ１２と該信号増幅器１１の間を第三シールド線１４で電気接続する。該電磁信号は該第三シールド線１４で該信号増幅器１１から該スペクトラムアナライザ１２へ伝送し、該第三シールド線１４は該電磁信号の伝送過程に於いて該箱体１０が外部の大気遊離電磁波の影響を受けることから防止するのに用い、該スペクトラムアナライザ１２は該電磁信号の周波数及び振幅の大きさを検出する。
【００３７】
該スペクトラムアナライザ１２とコンピュータ１５間を第四シールド線１６で電気接続し、該電磁信号を該第四シールド線１６で該スペクトラムアナライザ１２から該コンピュータ１５へ伝送する。該第四シールド線１６は該電磁信号の伝送過程に於いて該箱体１０が外部の大気遊離電磁波の影響を受けることから防止するのに用い、該コンピュータ１５は該電磁信号を観察及び処理するのに用いる。また該信号増幅器１１は該スペクトラムアナライザ１２の内部もしくは外部に設置する。良好な実施例として、該スペクトラムアナライザ１２と該信号増幅器１１の間を該第三シールド線１４で電気接続し、且つ該スペクトラムアナライザ１２と該コンピュータ１５間を該第四シールド線１６で電気接続する。また該信号増幅器１１は該スペクトラムアナライザ１２の外部に設置することで、拡大後の該電磁信号の周波数及び振幅の大きさを検出し、更に電磁波関連データを観察分析するのが便利である。特に該第一シールド線１０３、該第二シールド線１３、該第三シールド線１４及び該第四シールド線１６は各自独立した同軸シールド線（Coaxial shielding line） である。
【００３８】
該箱体１０は、更にアンテナ絶縁体１０４及び検査待ち物品絶縁体１７を含む。該アンテナ絶縁体１０４は該アンテナ１０１と該電波吸収層１００の間に設置し、該アンテナ１０１と該箱体１０の間の導電状況を隔てて問題が発生するのを防止し、実験誤差を縮めるのに用いる。該検査待ち物品絶縁体１７は該電波吸収層１００と該検査待ち物品の間に設置し、検査待ち物品と該箱体１０の間の導電状況を隔てて問題が発生するのを防止し、実験誤差を縮めるのに用いる。
【００３９】
本考案の該電磁波障害検出システムの最も良好な実施例において、該箱体１０は金属箱体である。該電波吸収層１００は該箱体１０の該内壁表面Ｓを全部被覆し、該アンテナ１０１を該内壁表面Ｓの該下壁表面ＳＤの該電波吸収層１００の一側に設置する。該濾波器コネクタ１０２は該壁面Ｗの該側壁面ＷＳを貫通する。該アンテナ絶縁体１０４を該アンテナ１０１と該電波吸収層１００の間に設置する。該検査待ち物品絶縁体１７を該電波吸収層１００の表面に設置する。該箱体１０の該壁面Ｗには該ドアパネル１０５を設置する。
【００４０】
図４に示すとおり、前述電磁波障害検出システムによって、電磁波障害修正方法を行うが、該電磁波障害修正方法は以下のステップを含む。
【００４１】
ステップＳ１として、少なくとも５個の該検査待ち物品（例として電子設備サンプル）を取得する。
【００４２】
ステップＳ２として、前述５個の該検査待ち物品を国際標準認証の実験室へ送り、対応する標準電磁波データ値（周波数及び振幅の大きさを含む）をそれぞれ取得する。
【００４３】
ステップＳ３として、前述電磁波障害検出システムで前述５個の該検査待ち物品を順に検査し、前述５個の該検査待ち物品に対応する参考電磁波データ値（周波数及び振幅の大きさを含む）をそれぞれ取得する。
【００４４】
ステップＳ４として、該参考電磁波データ値をＸ軸に設定し、標準電磁波データ値をＹ軸として設定し、検量線を記入する。
【００４５】
ステップＳ５として、測定したい検査待ち物品に対し、前述電磁波障害検出システムで電磁波データ値を測定し、更に該検量線と対比し、相互に対応する標準電磁波データ値を算出する。
【００４６】
先ず、一個の測定したい検査待ち物品を社内に於いて、前述電磁波障害検出システムで該電磁波データ値を測定する。次に該検量線と対比して相互に対応する該標準電磁波データ値を求め、それは即ち検査結果を製品の設計方針に対して有効に調整することであり、国際標準認証実験室の順番待ち時間を大幅に縮め、更に検査に必要な高額な検査費用を節約できる。それらに拠って、新製品の開発時間をスピードアップし、製品開発リスク及びコストを下げ、企業自身の競争力を高める。
【符号の説明】
【００４７】
１        電磁波障害検出システム
１０        箱体
１００        電波吸収層
１０１        アンテナ
１０２        濾波器コネクタ
１０３        第一シールド線
１０４        アンテナ絶縁体
１０５        ドアパネル
１１        信号増幅器
１２        スペクトラムアナライザ
１３        第二シールド線
１４        第三シールド線
１５        コンピュータ
１６        第四シールド線
１７        検査待ち物品絶縁体
Ｓ        内壁表面
ＳＷ        側壁表面
ＳＵ        上壁表面
ＳＤ        下壁表面
Ｗ        壁面
ＷＳ        側壁面
ＷＵ        上壁面
ＷＤ        下壁面
１００ａ      電波吸収ゴム片
１００ｂ      角錐電波吸収層
１００ｃ      楔形電波吸収層
１００ｄ      平板電波吸収層
Ｓ１      ステップ
Ｓ２      ステップ
Ｓ３      ステップ
Ｓ４      ステップ
Ｓ５      ステップ
【図１】
0003220695.tif 000003
【図２】
0003220695.tif 000004
【図３Ａ】
0003220695.tif 000005
【図３Ｂ】
0003220695.tif 000006
【図３Ｃ】
0003220695.tif 000007
【図３Ｄ】
0003220695.tif 000008
【図４】
0003220695.tif 000009